【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
インク受けチャンバおよび制御流体供給源からの制御流体を受容するための制御チャンバを画定するインクリザーバーと、前記インクリザーバーの配向を判定して配向信号を生成するよう構成された配向センサとを有するインクジェットアセンブリのインクリザーバーの圧力を動的に制御するためのコントローラであって、前記コントローラは、前記制御流体供給源および前記配向センサに動作可能に結合されたプロセッサを備え、前記プロセッサは、
少なくとも部分的に、前記配向信号に基づいて、前記制御チャンバの所望の圧力を決定し、および
前記制御チャンバの実際の圧力レベルを前記制御チャンバの前記所望の圧力に調整するために前記制御流体供給源を制御する、
ようにプログラムされる、コントローラ。
【請求項２】
前記インクリザーバーが長手方向軸線を画定し、垂直基準軸線に対する前記長手方向軸線の角度を感知することによって、前記配向センサが前記インクリザーバーの前記配向を判定し、前記プロセッサは、少なくとも部分的に、前記垂直基準軸線に対する前記長手方向軸線の前記角度に基づいて、前記制御チャンバの前記所望の圧力を決定するようプログラムされている、請求項１に記載のコントローラ。
【請求項３】
前記インク受けチャンバに配置されたインクは、インク上面レベルを画定し、前記インク受けチャンバに流体的に連通するノズル内の所望のメニスカスレベルは、前記長手方向軸線に沿って距離Ｄ１だけ前記インク上面レベルから離間され、前記プロセッサは、前記垂直基準軸線に対する前記長手方向軸線の前記角度および前記距離Ｄ１に基づいて前記垂直基準軸線に沿った有効水柱高さを計算し、および少なくとも部分的に、前記有効水柱高さに基づいて、前記制御チャンバの前記所望の圧力を決定するようさらにプログラムされている、請求項２に記載のコントローラ。
【請求項４】
前記プロセッサが前記所望のメニスカスレベルにおける所定の圧力から前記有効水柱高さを減じることによって前記制御チャンバの前記所望の圧力を決定するようプログラムされている、請求項３に記載のコントローラ。
【請求項５】
前記インクジェットアセンブリが前記制御チャンバの前記実際の圧力レベルを示す圧力信号を生成するために、前記制御チャンバに動作可能に結合された、圧力センサさらに備え、前記プロセッサが、前記圧力センサにさらに動作可能に結合される、請求項１に記載のコントローラ。
【請求項６】
前記制御流体供給源が、第１のバルブを介して前記制御チャンバと流体連通する正圧供給源と、第２のバルブを介して前記制御チャンバと流体連通する負圧供給源とを含み、前記プロセッサが、前記第１のバルブと、前記第２のバルブとに動作可能に結合される、請求項１に記載のコントローラ。
【請求項７】
インクジェット印刷システムであって、
インク受けチャンバおよび制御チャンバを画定するインクリザーバーと、
前記制御チャンバに流体的に連通する制御流体供給源と、
前記インクリザーバーの配向を判定して、配向信号を生成するよう構成された配向センサと、
前記制御流体供給源および前記配向センサに動作可能に結合されたプロセッサと、
を備え、
前記プロセッサは、
少なくとも部分的に、前記配向信号に基づいて前記制御チャンバの所望の圧力を決定し、および
前記制御チャンバの実際の圧力レベルを前記制御チャンバの前記所望の圧力に調整するために、前記制御流体供給源を制御する
ようブログラムされている、インクジェット印刷システム。
【請求項８】
前記インクリザーバーが長手方向軸線を画定し、前記配向センサは、垂直基準軸線に対する前記長手方向軸線の角度を決定するよう構成されている、請求項７に記載のインクジェット印刷システム。
【請求項９】
前記インク受けチャンバと流体連通するノズルを画定する印刷ヘッドをさらに備え、前記ノズルは、前記インクリザーバーに対する固定位置を有する所望のメニスカスレベルを画定する、請求項８に記載のインクジェット印刷システム。
【請求項１０】
前記インク受けチャンバに配置されたインクが、インク上面レベルを画定し、前記ノズルの前記所望のメニスカスレベルが、前記インクリザーバーの前記長手方向軸線に沿って前記インク上面レベルから距離Ｄ１だけ離間される、請求項９に記載のインクジェット印刷システム。
【請求項１１】
前記プロセッサが、前記垂直基準軸線に対する前記長手方向軸線の前記角度および前記距離Ｄ１に基づいて前記垂直基準軸線に沿った有効水柱高さを計算し、および少なくとも部分的に、前記有効水柱高さに基づいて、前記制御チャンバの前記所望の圧力を決定するようさらにプログラムされている、請求項１０に記載のインクジェット印刷システム。
【請求項１２】
前記制御チャンバの前記所望の圧力を決定するステップが、前記所望のメニスカスレベルにおける所定の圧力から前記有効水柱高さを減じるステップを備える、請求項１１に記載のインクジェット印刷システム。
【請求項１３】
前記制御チャンバの前記実際の圧力レベルを示す圧力信号を生成するために、前記制御チャンバに動作可能に結合された、圧力センサさらに備え、前記プロセッサが、前記圧力センサにさらに動作可能に結合される、請求項７に記載のインクジェット印刷システム。
【請求項１４】
前記配向センサが加速度計を備える請求項７に記載のインクジェット印刷システム。
【請求項１５】
可撓性膜が前記インク受けチャンバおよび前記制御チャンバの間に配置されている、請求項７に記載のインクジェット印刷システム。
【請求項１６】
前記制御流体供給源が、第１のバルブを介して前記制御チャンバと流体連通する正圧供給源と、第２のバルブを介して前記制御チャンバと流体連通する負圧供給源とを含み、前記プロセッサが、前記第１のバルブと、前記第２のバルブとに動作可能に結合される、請求項７に記載のインクジェット印刷システム。
【請求項１７】
動的に制御されたインク背圧を有するインクジェット印刷システムであって、前記インクジェット印刷システムは、
垂直基準軸線に対して少なくとも１自由度で回転するように支持されたフレームと、
前記フレームに結合され、長手方向軸線を画定し、制御チャンバおよびインク受けチャンバを備えるインクリザーバーと、
前記制御チャンバと流体連通して、制御流体を様々な圧力レベルで送達する、制御流体供給源と、
前記インクリザーバーの配向を判定して、配向信号を生成する、配向センサと、
前記制御流体供給源および前記配向センサに動作可能に結合されたプロセッサと、
を備え、
前記プロセッサは、
少なくとも部分的に、前記配向信号に基づいて前記制御チャンバの所望の圧力を決定し、および
前記制御チャンバの実際の圧力レベルを前記制御チャンバの前記所望の圧力に調整するために、前記制御流体供給源を制御する
ようブログラムされている、インクジェット印刷システム。
【請求項１８】
前記配向センサは、前記垂直基準軸線に対する前記長手方向軸線の角度を判定するよう構成され、前記プロセッサは、少なくとも部分的に、前記垂直基準軸線に対する前記長手方向軸線の前記角度に基づいて、前記制御チャンバの前記所望の圧力レベルを決定するようプログラムされている、請求項１７に記載のインクジェット印刷システム。
【請求項１９】
前記インク受けチャンバと流体連通するノズルをさらに備え、前記ノズルが前記インクリザーバーに対して固定された位置を有する所望のメニスカスレベルを画定する、請求項１８に記載のインクジェット印刷システム。
【請求項２０】
前記インク受けチャンバに配置されたインクがインク上面レベルを画定し、
前記ノズルの前記所望のメニスカスレベルは、前記インクリザーバーの前記長手方向軸線に沿って距離Ｄ１だけ前記インク上面レベルから離間され、かつ
前記プロセッサは、前記垂直基準軸線に対する前記長手方向軸線の前記角度および前記距離Ｄ１に基づいて前記垂直基準軸線に沿った有効水柱高さを計算し、および少なくとも部分的に、前記有効水柱高さに基づいて、前記制御チャンバの前記所望の圧力を決定するようさらにプログラムされている、請求項１９に記載のインクジェット印刷システム。